(57)【特許請求の範囲】
【請求項１】
１つの方向である第１電極方向に沿って延びる帯形状を有し、かつ、前記第１電極方向と交差する方向である第２電極方向に沿って隙間を空けて並ぶ複数の第１電極と、
前記第２電極方向に沿って延びる帯形状を有し、かつ、前記第１電極方向に沿って隙間を空けて並び、複数の前記第１電極の各々と立体的に交差する複数の第２電極と、
を備え、
複数の前記第１電極の各々は、１つの方向である第１線方向に沿って延びる直線形状を有し、かつ、相互に隣り合う前記第１電極の間において途切れる線分である複数の第１主線と、前記第１線方向と交差する方向である第２線方向に沿って延びる直線形状を有した線分である複数の第１副線とを含み、前記複数の第１副線は、相互に隣り合う前記第１電極の間をまたいで延びる仮想的な直線上に位置し、かつ、当該直線上で途切れる前記第１副線を含み、
複数の前記第２電極の各々は、前記第２線方向に沿って延びる直線形状を有し、かつ、相互に隣り合う前記第２電極の間において途切れる線分である複数の第２主線と、前記第１線方向に沿って延びる直線形状を有した線分である複数の第２副線とを含み、
複数の前記第２電極を含む平面と対向する平面視において、
前記第１電極を構成する複数の前記線分と、前記第２電極を構成する複数の前記線分とは、単一の四角形状を有した単位格子の繰返しである１つの格子パターンを構成し、かつ、前記第１線方向、および、前記第２線方向に沿っては相互に重ならないように構成され、
前記第１電極と前記第２電極とにおいて相互に重なる部分は容量検出部であり、
複数の前記第１主線は、前記第１電極方向において相互に隣り合う複数の前記容量検出部に共通した複数の前記第１主線を１つの主線群として含み、
複数の前記第１副線は、前記主線群を構成する複数の前記第１主線を並列に接続する前記第１副線を１つの前記容量検出部ごとに前記第１主線の延在方向に並ぶように複数ずつ含む
タッチセンサ用電極。
【請求項２】
前記主線群は、第１主線群であり、
複数の前記第２電極を含む平面と対向する平面視において、
複数の前記第２主線は、前記第２電極方向において相互に隣り合う複数の前記容量検出部に共通した複数の前記第２主線を１つの第２主線群として含み、
複数の前記第２副線は、前記第２主線群を構成する複数の前記第２主線を並列に接続する前記第２副線を１つの前記容量検出部ごとに複数ずつ含む
請求項１に記載のタッチセンサ用電極。
【請求項３】
前記第２電極は、
前記第１線方向に沿って隙間を空けて並ぶ複数の前記第２主線群を備え、
複数の前記第２電極を含む平面と対向する平面視において、
複数の前記第１主線を並列に接続する前記第１副線の少なくとも１つは、
相互に隣り合う前記第２主線群の間隙に位置し、かつ、
前記容量検出部における前記第２線方向の全体にわたる直線形状を有している
請求項２に記載のタッチセンサ用電極。
【請求項４】
前記第１電極は、
前記第２線方向に沿って隙間を空けて並ぶ複数の前記第１主線群を備え、
複数の前記第２電極を含む平面と対向する平面視において、
複数の前記第２主線を並列に接続する前記第２副線の少なくとも１つは、
相互に隣り合う前記第１主線群の間隙に位置し、かつ、
前記容量検出部における前記第１線方向の全体にわたる直線形状を有している
請求項２または３に記載のタッチセンサ用電極。
【請求項５】
前記第１主線群を構成する前記第１主線の数は、前記第１主線群を構成する複数の前記第１主線を並列に接続する前記第１副線の数よりも多い
請求項２から４のいずれか一項に記載のタッチセンサ用電極。
【請求項６】
前記第２主線群を構成する前記第２主線の数は、前記第２主線群を構成する複数の前記第２主線を並列に接続する前記第２副線の数よりも多い
請求項２から５のいずれか一項に記載のタッチセンサ用電極。
【請求項７】
前記第１電極方向、および、前記第２電極方向は、相互に直交する方向であり、
前記第１線方向、および、前記第２線方向は、相互に直交する方向であり、
前記第１線方向は、前記第１電極方向、および、前記第２電極方向と交差する方向である
請求項１から６のいずれか一項に記載のタッチセンサ用電極。
【請求項８】
複数の第１電極と、複数の第２電極と、複数の前記第１電極と複数の前記第２電極との間に挟まれる透明誘電体層と、を備えるタッチセンサ用電極と、
前記タッチセンサ用電極を覆うカバー層と、
前記第１電極と前記第２電極との間の静電容量を測定する周辺回路と、を備え、
前記タッチセンサ用電極は、
請求項１から７のいずれか一項に記載のタッチセンサ用電極である
タッチパネル。
【請求項９】
情報を表示する表示パネルと、
前記表示パネルの表示する前記情報を透過するタッチパネルと、
前記タッチパネルを駆動する駆動回路と、を備え、
前記タッチパネルは、請求項８に記載のタッチパネルである
表示装置。
【発明の詳細な説明】
【技術分野】
【０００１】
本発明は、複数の電極の各々が複数の電極線を備えるタッチセンサ用電極、タッチパネル、および、表示装置に関する。
【背景技術】
【０００２】
電子機器の入力デバイスとしてタッチパネルが広く用いられている。タッチパネルは、第１面と第２面とを有した透明誘電体層を備え、透明誘電体層の第１面には、Ｘ方向に沿って延びる帯形状を有した複数の第１帯状電極が位置し、透明誘電体層の第２面には、Ｘ方向に対して直交するＹ方向に沿って延びる帯形状を有した複数の第２帯状電極が位置している。そして、１つの第１帯状電極と複数の第２帯状電極の各々との間における静電容量の変化が第１帯状電極ごとに検出されて、タッチパネルの操作面における指の位置が検出される。第１帯状電極や第２帯状電極を形成する材料には、帯状電極ごとの抵抗値を下げるために、銀や銅などの金属が用いられている（例えば、特許文献１参照）。
【先行技術文献】
【特許文献】
【０００３】
【特許文献１】特開２０１３−１５６７２５号公報
【発明の概要】
【発明が解決しようとする課題】
【０００４】
ところで、タッチパネルを構成する複数の帯状電極の各々は、静電容量の変化を検出するための導電性に加えて、タッチパネルの操作面に像を出力するための光透過性を求められている。複数の帯状電極の各々は、相互に間隔を空けて並ぶ複数の電極線の集合として構成されて、相互に隣り合う電極線の間隙において上述した光透過性を発現している。
【０００５】
一方で、帯状電極の有する端子間を繋ぐような単なる直線形状を複数の電極線の各々が有するとき、複数の電極線の各々が端子間の導通を個別に担っている。こうした電極線を有する構成では、例えば、１つの電極線のなかの僅かな一部分において抵抗値が増大したとしても、その１つの電極線の全てにおいて抵抗値が増大したものとして、帯状電極の有する抵抗値は増大する。タッチセンサ用電極の視認性を抑えることが望まれる近年においては、電極線の細線化が進む一途であるため、上述したように帯状電極の有する抵抗値が増大することを抑えることが特に求められている。
【０００６】
本発明は、複数の電極線から構成される電極における抵抗値が電極線の一部分における抵抗値の増大によって増大することを抑えることの可能なタッチセンサ用電極、タッチパネル、および、表示装置を提供することを目的とする。
【課題を解決するための手段】
【０００７】
上記課題を解決するためのタッチセンサ用電極は、１つの方向である第１電極方向に沿って延びる帯形状を有し、かつ、前記第１電極方向と交差する方向である第２電極方向に沿って隙間を空けて並ぶ複数の第１電極と、前記第２電極方向に沿って延びる帯形状を有し、かつ、前記第１電極方向に沿って隙間を空けて並び、複数の前記第１電極の各々と立体的に交差する複数の第２電極と、を備えている。複数の前記第１電極の各々は、１つの方向である第１線方向に沿って延びる直線形状を有し、かつ、相互に隣り合う前記第１電極の間において途切れる線分である複数の第１主線と、前記第１線方向と交差する方向である第２線方向に沿って延びる直線形状を有した線分である複数の第１副線とを含む。複数の前記第２電極の各々は、前記第２線方向に沿って延びる直線形状を有し、かつ、相互に隣り合う前記第２電極の間において途切れる線分である複数の第２主線と、前記第１線方向に沿って延びる直線形状を有した線分である複数の第２副線とを含む。そして、複数の前記第２電極を含む平面と対向する平面視において、前記第１電極を構成する複数の前記線分と、前記第２電極を構成する複数の前記線分とは、四角形状を有した単位格子の繰返しである１つの格子パターンを構成し、かつ、前記第１線方向、および、前記第２線方向に沿っては相互に重ならないように構成される。また、複数の前記第２電極を含む平面と対向する平面視において、前記第１電極と前記第２電極とにおいて相互に重なる部分は容量検出部であり、複数の前記第１主線は、前記第１電極方向において相互に隣り合う複数の前記容量検出部に共通した複数の前記第１主線を１つの主線群として含み、複数の前記第１副線は、前記主線群を構成する複数の前記第１主線を並列に接続する前記第１副線を１つの前記容量検出部ごとに複数ずつ含む。
【０００８】
上記課題を解決するためのタッチパネルは、複数の第１電極と、複数の第２電極と、複数の前記第１電極と複数の前記第２電極との間に挟まれる透明誘電体層と、を備える上述したタッチセンサ用電極と、前記タッチセンサ用電極を覆うカバー層と、前記第１電極と前記第２電極との間の静電容量を測定する周辺回路と、を備える。
【０００９】
上記課題を解決するための表示装置は、情報を表示する表示パネルと、前記表示パネルの表示する前記情報を透過する上述したタッチパネルと、前記タッチパネルを駆動する駆動回路と、を備える。
【００１０】
上記タッチセンサ用電極、タッチパネル、および、表示装置によれば、主線群を構成する複数の第１主線の各々は、第１電極方向において相互に隣り合う複数の容量検出部に共通した線分である。そして、複数の第１副線は、主線群を構成する複数の第１主線を並列に接続する線分を含み、かつ、複数の第１主線を並列に接続する線分を、１つの容量検出部ごとに複数ずつ含む。すなわち、第１電極方向に沿って並ぶ複数の容量検出部の各々は、複数の第１主線の各々の一部分が第１副線によって並列に接続された複数の並列回路を備え、かつ、第１電極方向において相互に隣り合う複数の並列回路は、第１副線の共有を通じて直列に接続されている。それゆえに、第１主線における特定の一部分において抵抗値が増大するとしても、特定の一部分を迂回する伝送路が第１電極に構成されて、特定の並列回路以外の並列回路においては抵抗値が増大しない。結果として、第１電極を構成する複数の電極線が、第１電極方向に沿って延びる直線形状を有した線分のみからなる構成と比べて、複数の電極線から構成される電極における抵抗値が電極線の一部分における抵抗値の増大によって増大することを抑えられる。
【００１１】
上記タッチセンサ用電極において、前記主線群は、第１主線群である。そして、複数の前記第２電極を含む平面と対向する平面視において、複数の前記第２主線は、前記第２電極方向において相互に隣り合う複数の前記容量検出部に共通した複数の前記第２主線を１つの第２主線群として含み、複数の前記第２副線は、前記第２主線群を構成する複数の前記第２主線を並列に接続する前記第２副線を１つの前記容量検出部ごとに複数ずつ含むことが好ましい。
【００１２】
上記タッチセンサ用電極によれば、第２主線群を構成する複数の第２主線の各々は、第２電極方向において相互に隣り合う複数の容量検出部に共通した線分である。そして、複数の第２副線は、第２主線群を構成する複数の第２主線を並列に接続する線分を含み、かつ、複数の第２主線を並列に接続する線分を、１つの容量検出部ごとに複数ずつ含む。それゆえに、上述した第１電極と同様に、第２電極を構成する複数の電極線が、第２電極方向に沿って延びる直線形状を有した線分のみからなる構成と比べて、第２電極においても、複数の電極線から構成される電極における抵抗値が電極線の一部分における抵抗値の増大によって増大することを抑えられる。
【００１３】
上記タッチセンサ用電極において、前記第２電極は、前記第１線方向に沿って隙間を空けて並ぶ複数の前記第２主線群を備えている。そして、複数の前記第２電極を含む平面と対向する平面視において、複数の前記第１主線を並列に接続する前記第１副線の少なくとも１つは、相互に隣り合う前記第２主線群の間隙に位置し、かつ、前記容量検出部における前記第２線方向の全体にわたる直線形状を有していることが好ましい。
【００１４】
上記タッチセンサ用電極によれば、容量検出部のなかで第２線方向に沿って延びる線分には、複数の第２主線群と、相互に隣り合う第２主線群の間隙に位置する第１副線とが含まれる。ここで、上述した平面視における深さ方向において第１電極の位置と第２電極の位置とが相互に異なる以上、第１電極の有する色と、第２電極の有する色とは、相互に異なることが少なくない。この点で、上述した構成であれば、第１電極を構成する第１副線と、第２電極を構成する第２主線群とが、第１線方向に沿って交互に繰り返されるため、第１電極の有する色と第２電極の有する色とが相互に異なっているとしても、これらの色の違いから第１電極と第２電極とが各別の構造体として視認されることは抑えられる。
【００１５】
上記タッチセンサ用電極において、前記第１電極は、前記第２線方向に沿って隙間を空けて並ぶ複数の前記第１主線群を備えている。そして、複数の前記第２電極を含む平面と対向する平面視において、複数の前記第２主線を並列に接続する前記第２副線の少なくとも１つは、相互に隣り合う前記第１主線群の間隙に位置し、かつ、前記容量検出部における前記第１線方向の全体にわたる直線形状を有していることが好ましい。
【００１６】
上記タッチセンサ用電極によれば、容量検出部のなかで第１線方向に沿って延びる線分には、複数の第１主線群と、相互に隣り合う第１主線群の間隙に位置する第２副線とが含まれる。ここで、上述した平面視における深さ方向において第１電極の位置と第２電極の位置とが相互に異なる以上、第１電極の有する色と、第２電極の有する色とは、相互に異なることが少なくない。この点で、上述した構成であれば、第１電極を構成する第１主線群と、第２電極を構成する第２副線とが、第２線方向に沿って交互に繰り返されるため、第１電極の有する色と第２電極の有する色とが相互に異なったとしても、これらの色の違いから第１電極と第２電極とが各別の構造体として視認されることは抑えられる。
【００１７】
上記タッチセンサ用電極において、前記第１主線群を構成する前記第１主線の数は、前記第１主線群を構成する複数の前記第１主線を並列に接続する前記第１副線の数よりも多いことが好ましい。
【００１８】
上記タッチセンサ用電極によれば、第１主線群を構成する第１主線の数と、これら第１主線を並列に接続する第１副線の数とが同じである構成と比べて、第１主線と第１副線との交差部の数は、第１主線群において少ない。ここで、第１主線と第２主線とが立体的に交差する交差部における角は、通常、第１線方向と第２線方向とから形成される角度を有する。一方で、第１主線と第１副線とがパターニングされるとき、第１主線と第１副線との交差部における角は、丸みを帯びて形成されることが少なくない。それゆえに、第１主線と第１副線との交差部が有する面積は、第１主線と第２主線とが立体的に交差する交差部よりも大きくなりやすい。この点で、上述した構成であれば、第１主線と第１副線との交差部の数の増大が抑えられるため、こうした交差部による開口率の低下も抑えられる。
【００１９】
上記タッチセンサ用電極において、前記第２主線群を構成する前記第２主線の数は、前記第２主線群を構成する複数の前記第２主線を並列に接続する前記第２副線の数よりも多いことが好ましい。
【００２０】
上記タッチセンサ用電極によれば、第２主線群を構成する第２主線の数と、これら第２主線を並列に接続する第２副線の数とが同じである構成と比べて、第２主線と第２副線との交差部の数は、第２主線群において少ない。ここで、上述したように、第１主線と第２主線とが立体的に交差する交差部における角は、通常、第１線方向と第２線方向とから形成される角度を有する。一方で、第２主線と第２副線とがパターニングされるとき、第２主線と第２副線との交差部における角は、丸みを帯びて形成されることが少なくない。それゆえに、第２主線と第２副線との交差部が有する面積は、第１主線と第２主線とが立体的に交差する交差部よりも大きくなりやすい。この点で、上述した構成であれば、第２主線と第２副線との交差部の数の増大が抑えられるため、こうした交差部による開口率の低下も抑えられる。
【００２１】
上記タッチセンサ用電極において、前記第１電極方向、および、前記第２電極方向は、相互に直交する方向であり、前記第１線方向、および、前記第２線方向は、相互に直交する方向であり、前記第１線方向は、前記第１電極方向、および、前記第２電極方向と交差する方向であることが好ましい。
【００２２】
上記タッチセンサ用電極によれば、第１電極は、第２電極方向に沿った周期性を有し、かつ、第２電極は、第１電極方向に沿った周期性を有する一方で、第１主線、第１副線、第２主線、および、第２副線の各々は、第１電極方向、および、第２電極方向と交差する方向に沿って延びる直線形状を有している。ここで、タッチセンサ用電極が搭載されるデバイスにおいては、通常、画素やブラックマトリックスなどのように、タッチパネルに対する操作の対象となる要素である操作対象要素の並ぶ方向と、タッチセンサ用電極における容量検出部の並ぶ方向とは整合している。この点で、上述した構成であれば、第１主線や第１副線が有する周期性と、操作対象要素が有する周期性との干渉が抑えられ、かつ、第２主線や第２複線が有する周期性と、操作対象要素が有する周期性との干渉が抑えられる。それゆえに、タッチセンサ用電極が搭載されるデバイスにおいて、タッチセンサ用電極に起因したモアレが抑えられる。
【発明の効果】
【００２３】
本発明によれば、複数の電極線から構成される電極における抵抗値が電極線の一部分において抵抗値が増大することによって増大することが抑えられる。
【図面の簡単な説明】
【００２４】
【図１】本発明を具体化した第１実施形態における表示装置の平面構造を示す平面図であって、相互に異なる構成要素の一部が重なる順に切り欠いて示される図である。
【図２】第１実施形態における表示装置の断面構造を示す断面図である。
【図３】第１実施形態におけるタッチパネルの電気的構成を説明するためのブロック図である。
【図４】第１実施形態におけるドライブ電極の一部分の平面構造を示す部分平面図であって、ドライブ電極において４つの容量検出部を構成する部分を示す図である。
【図５】第１実施形態におけるセンシング電極の一部分の平面構造を示す部分平面図であって、センシング電極において４つの容量検出部を構成する部分を示す図である。
【図６】第１実施形態におけるドライブ電極とセンシング電極との平面構造を示す平面図であって、ドライブ電極の位置とセンシング電極の位置との関係を示す図である。
【図７】第２実施形態におけるドライブ電極の一部分の平面構造を示す部分平面図であって、ドライブ電極において４つの容量検出部を構成する部分を示す図である。
【図８】第２実施形態におけるドライブ電極の平面構造の一部分を拡大して示す拡大平面図であって、ドライブ電極において２つの容量検出部を構成する部分を示す図である。
【図９】第２実施形態におけるセンシング電極の一部分の平面構造を示す部分平面図であって、センシング電極において４つの容量検出部を構成する部分を示す図である。
【図１０】第２実施形態におけるセンシング電極の平面構造の一部分を拡大して示す拡大平面図であって、センシング電極において２つの容量検出部を構成する部分を示す図である。
【図１１】第１変形例における表示装置の断面構造を示す断面図である。
【図１２】第２変形例における表示装置の断面構造を示す断面図である。
【発明を実施するための形態】
【００２５】
［第１実施形態］
図１から図６を参照して、第１実施形態におけるタッチセンサ用電極、タッチパネル、および、表示装置を説明する。以下では、表示装置の構成、タッチパネルの電気的構成、ドライブ電極の構成、および、センシング電極の構成を説明する。
【００２６】
［表示装置の平面構造］
図１を参照して表示装置の構成を説明する。なお、図１においては、表示装置の備えるブラックマトリックス、ドライブ電極、および、センシング電極の構成を説明する便宜上から、ブラックマトリックス、ドライブ電極、および、センシング電極が誇張されている。また、ドライブ電極を構成するドライブ電極線と、センシング電極を構成するセンシング電極線とが模式的に示されている。
【００２７】
図１が示すように、表示装置は、例えば、液晶パネルである表示パネル１０と、タッチパネル２０とが、１つの透明接着層によって貼り合わされた積層体であり、タッチパネル２０を駆動するための駆動回路を備えている。
【００２８】
表示パネル１０の表面には、矩形形状に形成された表示面１０Ｓが区画され、表示面１０Ｓには、外部からの画像データに基づく画像などの情報が表示される。なお、表示パネル１０とタッチパネル２０との相対的な位置が筐体などの他の構成によって固定される前提であれば、透明接着層が割愛されてもよい。
【００２９】
表示パネル１０は、カラーフィルタ層１５を備え、カラーフィルタ層１５におけるブラックマトリクス１５ａは、１つの方向である第１電極方向Ｄ１と、第１電極方向Ｄ１と直交する方向である第２電極方向Ｄ２とに沿って並ぶ矩形形状を有した複数の単位格子から構成される格子形状を有している。１つの画素１５Ｐは、第２電極方向Ｄ２に沿って連続する３つの単位格子から構成され、複数の画素１５Ｐの各々は、第１電極方向Ｄ１、および、第２電極方向Ｄ２に沿って並んでいる。
【００３０】
複数の画素１５Ｐの各々は、赤色を表示するための赤色着色層１５Ｒ、緑色を表示するための緑色着色層１５Ｇ、および、青色を表示するための青色着色層１５Ｂから構成されている。カラーフィルタ層１５において、例えば、複数の赤色着色層１５Ｒ、複数の緑色着色層１５Ｇ、および、複数の青色着色層１５Ｂの各々は、第２電極方向Ｄ２に沿って、赤色着色層１５Ｒ、緑色着色層１５Ｇ、青色着色層１５Ｂの順に繰り返されて並んでいる。
【００３１】
１つの赤色着色層１５Ｒ、１つの緑色着色層１５Ｇ、および、１つの青色着色層１５Ｂは、１つの画素１５Ｐを構成し、複数の画素１５Ｐは、第２電極方向Ｄ２における赤色着色層１５Ｒ、緑色着色層１５Ｇ、および、青色着色層１５Ｂの並ぶ順番を維持した状態で、第２電極方向Ｄ２に沿って並んでいる。
【００３２】
画素１５Ｐにおける第１電極方向Ｄ１に沿った幅が第１画素幅ＷＰ１であり、画素１５Ｐにおける第２電極方向Ｄ２に沿った幅が第２画素幅ＷＰ２であり、各着色層１５Ｒ，１５Ｇ，１５Ｂにおける第２電極方向Ｄ２に沿った幅が第３画素幅ＷＰ３である。第１画素幅ＷＰ１、第２画素幅ＷＰ２、および、第３画素幅ＷＰ３の各々は、表示装置に求められる解像度などに応じた値に設定されている。
【００３３】
なお、表示パネル１０が有色の光を出力するＥＬパネルであって、赤色の光を出力する赤色画素、緑色の光を出力する緑色画素、および、青色の光を出力する青色画素を有する構成であれば、上述したカラーフィルタ層１５が割愛されてもよい。この際に、ＥＬパネルにおいて相互に隣り合う画素の境界部分は、ブラックマトリックスとして機能する。
【００３４】
タッチパネル２０は、静電容量式のタッチパネルであり、タッチセンサ用電極２１とカバー層２２とが透明接着層２３によって貼り合わされた積層体であって、表示パネル１０の表示する情報を透過する光透過性を有している。カバー層２２は、ガラス基板や樹脂フィルムなどによって形成され、カバー層２２における透明接着層２３とは反対側の面は、タッチパネル２０における表面であって操作面２０Ｓとして機能する。透明接着層２３は、表示面１０Ｓに表示される画像を透過する光透過性を有し、透明接着層２３には、例えば、ポリエーテル系接着剤やアクリル系接着剤が用いられる。
【００３５】
タッチセンサ用電極２１を構成する透明基板３１は、表示パネル１０に形成された表示面１０Ｓの全体に重ねられて、表示面１０Ｓが表示する画像などの情報を透過する光透過性を有している。透明基板３１は、例えば、透明ガラス基板や透明樹脂フィルムなどの基材から構成されて、１つの基材から構成される単層構造体であってもよいし、２つ以上の基材が重ねられた多層構造体であってもよい。
【００３６】
透明基板３１における表示パネル１０とは反対側の面は、ドライブ電極面３１Ｓとして設定されている。透明基板３１のドライブ電極面３１Ｓにおいて、複数のドライブ電極３１ＤＰの各々は、１つの方向である第１電極方向Ｄ１に沿って延びる帯形状を有し、かつ、第１電極方向Ｄ１と直交する第２電極方向Ｄ２に沿って間隔を空けて並んでいる。ドライブ電極３１ＤＰは、第１電極の一例である。
【００３７】
各ドライブ電極３１ＤＰは、複数のドライブ電極線の集合であり、複数のドライブ電極線は、第１主線の一例であるドライブ主線と、第１副線の一例であるドライブ副線とを備えている。各ドライブ電極３１ＤＰの形成材料には、銅やアルミニウムなどの金属膜が用いられる。複数のドライブ電極３１ＤＰの各々は、ドライブパッド３１Ｐを介して個別に選択回路に接続され、選択回路が出力する駆動信号を受けることによって選択回路に選択される。
【００３８】
複数のドライブ電極３１ＤＰ、および、ドライブ電極面３１Ｓにおいてドライブ電極３１ＤＰが位置しない部分は、１つの透明接着層３２によって透明誘電体基板３３に貼り合わされている。透明接着層３２は、表示面１０Ｓに表示される画像などの情報を透過する光透過性を有して、ドライブ電極面３１Ｓ、および、複数のドライブ電極３１ＤＰと、透明誘電体基板３３とを接着する。透明接着層３２には、例えば、ポリエーテル系接着剤やアクリル系接着剤などが用いられる。透明誘電体基板３３は、透明誘電体層の一例であり、透明誘電体基板３３における透明基板３１と向かい合う面である裏面に、複数のドライブ電極３１ＤＰが並んでいる。
【００３９】
透明誘電体基板３３は、例えば、ポリエチレンテレフタラートなどの透明樹脂フィルムや透明ガラス基板などの基材から構成されて、１つの基材から構成される単層構造であってもよいし、２つ以上の基材が重ねられた多層構造であってもよい。透明誘電体基板３３は、表示面１０Ｓに表示される画像などの情報を透過する光透過性と、電極間における静電容量の検出に適した比誘電率とを有する。透明誘電体基板３３は、透明誘電体層の一例である。
【００４０】
透明誘電体基板３３における透明接着層３２とは反対側の面である表面は、センシング電極面３３Ｓとして設定され、透明誘電体基板３３のセンシング電極面３３Ｓには、複数のセンシング電極３３ＳＰの各々が、第２電極方向Ｄ２に沿って延びる帯形状を有し、かつ、第２電極方向Ｄ２と直交する第１電極方向Ｄ１に沿って隙間を空けて並んでいる。センシング電極３３ＳＰは、第２電極の一例である。
【００４１】
各センシング電極３３ＳＰは、複数のセンシング電極線の集合であり、複数のセンシング電極線は、第２主線の一例であるセンシング主線と、第２副線の一例であるセンシング副線とを備えている。各センシング電極３３ＳＰの形成材料には、銅やアルミニウムなどの金属膜が用いられる。複数のセンシング電極３３ＳＰの各々は、センシングパッド３３Ｐを介して個別に検出回路に接続され、検出回路によって電流値を測定される。
【００４２】
複数のセンシング電極３３ＳＰ、および、センシング電極面３３Ｓにおいてセンシング電極３３ＳＰが位置しない部分は、上述した透明接着層２３によってカバー層２２に貼り合わされている。
【００４３】
複数のセンシング電極３３ＳＰの含まれる平面と対向する平面視において、ドライブ電極３１ＤＰとセンシング電極３３ＳＰとにおいて相互に重なる部分は、図１の二点鎖線によって示される四角形状を有した容量検出部ＮＤである。１つの容量検出部ＮＤは、１つのドライブ電極３１ＤＰと、１つのセンシング電極３３ＳＰとが立体的に交差する部分であって、タッチパネル２０において使用者の指などが触れている位置を検出することの可能な最小の単位である。
【００４４】
［表示装置の断面構造］
図２が示すように、タッチパネル２０を構成する構成要素のなかで表示パネル１０に近い構成要素から順番に、透明基板３１、ドライブ電極３１ＤＰ、透明接着層３２、透明誘電体基板３３、センシング電極３３ＳＰ、透明接着層２３、カバー層２２が位置している。このうち、透明誘電体基板３３は、複数のドライブ電極３１ＤＰと、複数のセンシング電極３３ＳＰとに挟まれている。タッチセンサ用電極２１、上記選択回路、および、上記検出回路が、タッチセンサの一例を構成している。
【００４５】
なお、透明接着層３２は、ドライブ電極３１ＤＰを構成する各ドライブ電極線の周りを覆い、かつ、相互に隣り合うドライブ電極線の間を埋めて、ドライブ電極３１ＤＰと透明誘電体基板３３との間に位置している。また、透明接着層２３は、センシング電極３３ＳＰを構成する各センシング電極線の周りを覆い、かつ、相互に隣り合うセンシング電極線の間を埋めて、センシング電極３３ＳＰとカバー層２２との間に位置している。これらの構成要素において、透明接着層２３、および、透明基板３１の少なくとも一方は、割愛されてもよい。
【００４６】
また、表示パネル１０を構成する構成要素のなかでタッチパネル２０から遠い構成要素から順番に、表示パネル１０を構成する複数の構成要素は以下のように並んでいる。すなわち、タッチパネル２０から遠い構成要素から順番に、下側偏光板１１、薄膜トランジスタ（以下、ＴＦＴ）基板１２、ＴＦＴ層１３、液晶層１４、カラーフィルタ層１５、カラーフィルタ基板１６、上側偏光板１７が位置している。これらのうち、ＴＦＴ層１３には、サブ画素を構成する画素電極がマトリクス状に位置している。そして、カラーフィルタ層１５におけるブラックマトリクス１５ａは、サブ画素の各々と向かい合う矩形形状を有する複数の領域を区画し、ブラックマトリクス１５ａの区画する各領域には、白色光を赤色、緑色、および、青色のいずれかの色の光に変える上述した着色層が位置している。
【００４７】
なお、透明接着層２３の省略される構成においては、カバー層２２の面の中で透明誘電体基板３３と対向する面がセンシング電極面３３Ｓとして設定され、センシング電極面３３Ｓに形成される１つの薄膜のパターニングによって、複数のセンシング電極３３ＳＰが形成されてもよい。
【００４８】
また、タッチパネル２０の製造に際しては、タッチセンサ用電極２１とカバー層２２とが、透明接着層２３によって貼り合わされる方法が採用されてもよいし、こうした製造方法とは異なる他の例として、以下の製造方法が採用されてもよい。すなわち、樹脂フィルムなどのカバー層２２に、銅などの導電性金属から構成される薄膜層が直に、もしくは、下地層を介して形成され、薄膜層の上にセンシング電極３３ＳＰのパターン形状を有したレジスト層が形成される。次いで、塩化第二鉄などを用いたウェットエッチング法によって、薄膜層が複数のセンシング電極３３ＳＰに加工されて、第１のフィルムが得られる。また、センシング電極３３ＳＰと同様に、他の樹脂フィルムに形成された薄膜層が複数のドライブ電極３１ＤＰに加工されて、第２のフィルムが得られる。そして、第１フィルムと第２フィルムとが透明誘電体基板３３を挟むように、透明誘電体基板３３に対して透明接着層によって貼り付けられる。
【００４９】
［タッチパネルの電気的構成］
図３を参照して、タッチパネル２０の電気的構成を説明する。なお、以下では、静電容量式のタッチパネル２０の一例として、相互容量方式のタッチパネル２０における電気的構成を説明する。
【００５０】
図３が示すように、タッチパネル２０は、選択回路３４、検出回路３５、および、制御部３６を備えている。選択回路３４は、複数のドライブ電極３１ＤＰに接続され、検出回路３５は、複数のセンシング電極３３ＳＰに接続され、制御部３６は、選択回路３４と検出回路３５とに接続されている。
【００５１】
制御部３６は、各ドライブ電極３１ＤＰに対する駆動信号の生成を選択回路３４に開始させるための開始タイミング信号を生成して出力する。制御部３６は、駆動信号が供給される対象を１番目のドライブ電極３１ＤＰからｎ番目のドライブ電極３１ＤＰに向けて選択回路３４に順次走査させるための走査タイミング信号を生成して出力する。
【００５２】
制御部３６は、各センシング電極３３ＳＰを流れる電流の検出を検出回路３５に開始させるための開始タイミング信号を生成して出力する。制御部３６は、検出の対象を１番目のセンシング電極３３ＳＰからｎ番目のセンシング電極３３ＳＰに向けて検出回路３５に順次走査させるための走査タイミング信号を生成して出力する。
【００５３】
選択回路３４は、制御部３６の出力した開始タイミング信号に基づいて、駆動信号の生成を開始し、制御部３６の出力した走査タイミング信号に基づいて、駆動信号の出力先を１番目のドライブ電極３１ＤＰ１からｎ番目のドライブ電極３１ＤＰｎに向けて走査する。
【００５４】
検出回路３５は、信号取得部３５ａと信号処理部３５ｂとを備えている。信号取得部３５ａは、制御部３６の出力した開始タイミング信号に基づいて、各センシング電極３３ＳＰに生成されたアナログ信号である電流信号の取得を開始する。そして、信号取得部３５ａは、制御部３６の出力した走査タイミング信号に基づいて、電流信号の取得元を１番目のセンシング電極３３ＳＰ１からｎ番目のセンシング電極３３ＳＰｎに向けて走査する。
【００５５】
信号処理部３５ｂは、信号取得部３５ａの取得した各電流信号を処理して、デジタル値である電圧信号を生成し、生成された電圧信号を制御部３６に向けて出力する。このように、選択回路３４と検出回路３５とは、静電容量の変化に応じて変わる電流信号から電圧信号を生成することによって、ドライブ電極３１ＤＰとセンシング電極３３ＳＰとの間の静電容量の変化を測定する。選択回路３４、および、検出回路３５は、周辺回路の一例である。
【００５６】
制御部３６は、信号処理部３５ｂの出力した電圧信号に基づいて、タッチパネル２０において使用者の指などが触れている位置を検出する。なお、タッチパネル２０は、上述した相互容量方式のタッチパネル２０に限らず、自己容量方式のタッチパネルであってもよい。
【００５７】
［ドライブ電極３１ＤＰの構成］
図４を参照してドライブ電極の構成を説明する。図４においては、ドライブ電極３１ＤＰを構成する複数のドライブ電極線の配置を説明する便宜上、２つのドライブ電極３１ＤＰのなかで４つの容量検出部ＮＤを構成する部分を拡大して示し、かつ、ドライブ電極線の線幅が誇張して示されている。
図４が示すように、複数のドライブ電極３１ＤＰの各々は、複数のドライブ主線３１ＭＬと、複数のドライブ副線３１ＳＬとを備えている。
【００５８】
複数のドライブ主線３１ＭＬの各々は、１つの方向である第１線方向ＤＬ１に沿って延びる直線形状を有し、かつ、相互に隣り合うドライブ電極３１ＤＰの間において途切れる線分である。複数のドライブ主線３１ＭＬにおいて、相互に隣り合うドライブ電極３１ＤＰの間において途切れる部分は、図４において破線の円によって囲まれ、第１電極方向Ｄ１に沿って並んでいる。
【００５９】
複数のドライブ主線３１ＭＬは、第１電極方向Ｄ１において相互に隣り合う２つの容量検出部ＮＤに共通した複数のドライブ主線３１ＭＬを１つのドライブ主線群３１Ｇとして含んでいる。図４においては、１つのドライブ主線群３１Ｇが５つのドライブ主線３１ＭＬから構成され、第１電極方向Ｄ１において相互に隣り合う２つの容量検出部ＮＤが２つのドライブ主線群３１Ｇを有する例が示されている。
【００６０】
１つのドライブ主線群３１Ｇを構成する５つのドライブ主線３１ＭＬは、第２線方向ＤＬ２に沿って主線間隔ＷＭを空けて、第２線方向ＤＬ２に沿って並んでいる。第２線方向ＤＬ２において相互に隣り合う２つのドライブ主線群３１Ｇは、第２線方向ＤＬ２に沿って主線間隔ＷＭの２倍の間隔を空けて、第２線方向ＤＬ２に沿って並んでいる。
【００６１】
複数のドライブ副線３１ＳＬは、第２線方向ＤＬ２に沿って延びる直線形状を有し、かつ、相互に隣り合うドライブ電極３１ＤＰの間において途切れる線分である。複数のドライブ副線３１ＳＬにおいて、相互に隣り合うドライブ電極３１ＤＰの間において途切れる部分は、図４において破線の円によって囲まれ、第１電極方向Ｄ１に沿って並んでいる。複数のドライブ副線３１ＳＬは、第１線方向ＤＬ１に沿って副線間隔ＷＳを空けて、第１線方向ＤＬ１に沿って並んでいる。ドライブ副線３１ＳＬの形成されるピッチである副線間隔ＷＳは、主線間隔ＷＭよりも十分に大きく設定され、図４においては、主線間隔ＷＭの６倍である。
【００６２】
複数のドライブ副線３１ＳＬの各々は、ドライブ主線群３１Ｇを構成する複数のドライブ主線３１ＭＬを並列に接続している。複数のドライブ主線３１ＭＬを並列に接続するドライブ副線３１ＳＬは、１つの容量検出部ＮＤごとに複数ずつ含まれている。図４において、１つの容量検出部ＮＤのほぼ中央に位置するドライブ主線群３１Ｇにおいては、５つのドライブ主線３１ＭＬを並列に接続する３つのドライブ副線３１ＳＬが１つの容量検出部ＮＤに含まれている。また、１つの容量検出部ＮＤに含まれる他方のドライブ主線群３１Ｇにおいては、４つのドライブ主線３１ＭＬを並列に接続する２つのドライブ副線３１ＳＬが１つの容量検出部ＮＤに含まれている。そして、１つの容量検出部ＮＤに含まれる２つのドライブ主線群３１Ｇは、各々において複数のドライブ主線３１ＭＬを並列に接続するドライブ副線３１ＳＬを共有している。
【００６３】
ここで、ドライブ主線群３１Ｇを構成する５つのドライブ主線３１ＭＬの各々は、第１電極方向Ｄ１において相互に隣り合う２つの容量検出部ＮＤに共通する線分である。そして、複数のドライブ副線３１ＳＬは、こうしたドライブ主線群３１Ｇを構成する複数のドライブ主線３１ＭＬを並列に接続する線分を含み、かつ、複数のドライブ主線３１ＭＬを並列に接続する線分を、１つの容量検出部ＮＤごとに複数ずつ含む。
【００６４】
すなわち、第１電極方向Ｄ１に沿って並ぶ２つの容量検出部ＮＤの各々は、複数のドライブ主線３１ＭＬの各々の一部分がドライブ副線３１ＳＬによって並列に接続された複数の並列回路ＣＰを備え、かつ、第１電極方向Ｄ１において相互に隣り合う複数の並列回路ＣＰは、ドライブ副線３１ＳＬの共有を通じて直列に接続されている。
【００６５】
例えば、容量検出部ＮＤのほぼ中央に位置するドライブ主線群３１Ｇにおいては、５つのドライブ主線３１ＭＬの各々の一部分が、ドライブ副線３１ＳＬによって並列に接続され、これらドライブ主線３１ＭＬとドライブ副線３１ＳＬとから１つの並列回路ＣＰが構成されている。そして、このドライブ主線群３１Ｇにおいては、１つの容量検出部ＮＤに２つの並列回路ＣＰを備え、さらに、２つの容量検出部ＮＤに跨る１つの並列回路ＣＰを備えている。これらの並列回路ＣＰの各々は、ドライブ副線３１ＳＬの共有を通じて直列に接続されている。
【００６６】
また、他方のドライブ主線群３１Ｇにおいては、４つのドライブ主線３１ＭＬの各々の一部分が、ドライブ副線３１ＳＬによって並列に接続され、これらドライブ主線３１ＭＬとドライブ副線３１ＳＬとから１つの並列回路ＣＰが構成されている。そして、他方のドライブ主線群３１Ｇにおいては、１つの容量検出部ＮＤに１つの並列回路ＣＰを備え、さらに、２つの容量検出部ＮＤに跨る１つの並列回路ＣＰを備えている。そして、これらの並列回路ＣＰの各々もまた、ドライブ副線３１ＳＬの共有を通じて直列に接続されている。
【００６７】
それゆえに、例えば、図４において白丸で示す特定の一部分において抵抗値が増大するとしても、図４において折れ線が示すように、特定の一部分を迂回する伝送路が特定の並列回路ＣＰにおいて構成される。そして、特定の並列回路ＣＰ以外の他の並列回路ＣＰにおいては、通常通りの抵抗値が得られる。結果として、ドライブ電極線が第１電極方向Ｄ１に沿って延びる直線形状を有した線分のみからなる構成と比べて、ドライブ電極３１ＤＰにおける抵抗値がドライブ電極線の一部分における抵抗値の増大によって増大することが抑えられる。
【００６８】
しかも、１つの容量検出部ＮＤに含まれる２つのドライブ主線群３１Ｇにおいては、一方のドライブ主線群３１Ｇに含まれる並列回路ＣＰと、他方のドライブ主線群３１Ｇに含まれる並列回路ＣＰとが、共通するドライブ副線３１ＳＬによって並列に接続されている。そのため、一方のドライブ主線群３１Ｇにおいて特定の並列回路ＣＰにおける抵抗値が増大するとしても、特定の並列回路ＣＰを迂回する伝送路が２つのドライブ主線群３１Ｇにおいて構成されて、特定の並列回路ＣＰ以外の他の並列回路ＣＰにおいては、通常通りの抵抗値が得られる。結果として、相互に隣り合うドライブ主線群３１Ｇが並列に接続される構成であれば、特定の並列回路ＣＰにおける抵抗値が増大するとしても、一方のドライブ主線群３１Ｇは、特定の並列回路ＣＰ以外において通常通りに機能する。
【００６９】
ドライブ主線群３１Ｇを構成するドライブ主線３１ＭＬの数は主線数であり、複数のドライブ主線３１ＭＬを並列に接続するドライブ副線３１ＳＬの数は副線数であり、主線数は副線数よりも多い。図４においては、主線数が５であり、副線数が３、あるいは、２である。このように、主線数と副線数とが相互に異なる構成であれば、これらの数が相互に等しい構成と比べて、ドライブ主線３１ＭＬとドライブ副線３１ＳＬとの交差部の数は、ドライブ主線群３１Ｇにおいて少ない。
【００７０】
ここで、ドライブ主線３１ＭＬとセンシング電極線とが立体的に交差する交差部における角は、通常、センシング電極線の延びる方向と第１線方向ＤＬ１とから形成される角度を有する。一方で、ドライブ主線３１ＭＬとドライブ副線３１ＳＬとがパターニングされるとき、ドライブ主線３１ＭＬとドライブ副線３１ＳＬとの交差部における角は、丸みを帯びて形成されることが少なくない。それゆえに、ドライブ主線３１ＭＬとドライブ副線３１ＳＬとの交差部が有する面積は、ドライブ主線３１ＭＬとセンシング電極線とが立体的に交差する交差部よりも大きくなりやすい。この点で、上述した構成であれば、ドライブ主線３１ＭＬとドライブ副線３１ＳＬとが、ドライブ電極面３１Ｓにおいて相互に交差する構成において、ドライブ主線３１ＭＬとドライブ副線３１ＳＬとの交差部の数の増大が抑えられているため、こうした交差部による開口率の低下も抑えられている。
【００７１】
なお、第１線方向ＤＬ１と第２電極方向Ｄ２との形成する角度θ１は、０°以上９０°未満であり、第２線方向ＤＬ２と第１電極方向Ｄ１との形成する角度θ２は、０°以上９０°未満である。第１線方向ＤＬ１と第２線方向ＤＬ２とは、相互に交差する方向であって、図４においては、角度θ１、および、角度θ２は、６３．８５°であり、第１線方向ＤＬ１と第２線方向ＤＬ２との形成する角度は、９０°である。
【００７２】
［センシング電極の構成］
図５を参照してセンシング電極の構成を説明する。図５においては、センシング電極３３ＳＰを構成する複数のセンシング電極線の配置を説明する便宜上、２つのセンシング電極３３ＳＰのなかで４つの容量検出部ＮＤを構成する部分を拡大して示し、かつ、センシング電極線の線幅が誇張されている。なお、複数のセンシング電極３３ＳＰの各々は、複数のセンシング主線３３ＭＬと、複数のセンシング副線３３ＳＬとを備え、センシング主線３３ＭＬとドライブ主線３１ＭＬとは、延在方向が相互に異なり、センシング副線３３ＳＬとドライブ副線３１ＳＬとは、これもまた延在方向が相互に異なる。一方で、センシング主線３３ＭＬとセンシング副線３３ＳＬとの相対的な位置の関係は、ドライブ主線３１ＭＬとドライブ副線３１ＳＬとの相対的な位置の関係と同様である。
【００７３】
図５が示すように、複数のセンシング主線３３ＭＬの各々は、第２線方向ＤＬ２に沿って延びる直線形状を有し、かつ、相互に隣り合うセンシング電極３３ＳＰの間において途切れる線分である。複数のセンシング主線３３ＭＬにおいて、相互に隣り合うセンシング電極３３ＳＰの間において途切れる部分は、図５において破線の円によって囲まれ、第２電極方向Ｄ２に沿って並んでいる。
【００７４】
複数のセンシング主線３３ＭＬは、第２電極方向Ｄ２において相互に隣り合う２つの容量検出部ＮＤに共通した複数のセンシング主線３３ＭＬを１つのセンシング主線群３３Ｇとして含んでいる。図５においては、１つのセンシング主線群３３Ｇが５つのセンシング主線３３ＭＬから構成され、第２電極方向Ｄ２において相互に隣り合う２つの容量検出部ＮＤが２つのセンシング主線群３３Ｇを有する例が示されている。
【００７５】
１つのセンシング主線群３３Ｇを構成する５つのセンシング主線３３ＭＬは、第１線方向ＤＬ１に沿って主線間隔ＷＭを空けて、第１線方向ＤＬ１に沿って並んでいる。第１線方向ＤＬ１において相互に隣り合う２つのセンシング主線群３３Ｇは、第１線方向ＤＬ１に沿って主線間隔ＷＭの２倍の間隔を空けて、第１線方向ＤＬ１に沿って並んでいる。
【００７６】
複数のセンシング副線３３ＳＬは、第１線方向ＤＬ１に沿って延びる直線形状を有し、かつ、相互に隣り合うセンシング電極３３ＳＰの間において途切れる線分である。複数のセンシング副線３３ＳＬでは、相互に隣り合うセンシング電極３３ＳＰの間において途切れる部分が、図５において破線の円によって囲まれ、第２電極方向Ｄ２に沿って並んでいる。複数のセンシング副線３３ＳＬは、第２線方向ＤＬ２に沿って副線間隔ＷＳを空けて、第２線方向ＤＬ２に沿って並んでいる。
【００７７】
複数のセンシング副線３３ＳＬの各々は、センシング主線群３３Ｇを構成する複数のセンシング主線３３ＭＬを並列に接続している。複数のセンシング主線３３ＭＬを並列に接続するセンシング副線３３ＳＬは、１つの容量検出部ＮＤごとに複数ずつ含まれている。図５において、１つの容量検出部ＮＤのほぼ中央に位置するセンシング主線群３３Ｇにおいては、５つのセンシング主線３３ＭＬを並列に接続する３つのセンシング副線３３ＳＬが１つの容量検出部ＮＤに含まれている。また、１つの容量検出部ＮＤに含まれる他方のセンシング主線群３３Ｇにおいては、４つのセンシング主線３３ＭＬを並列に接続する２つのセンシング副線３３ＳＬが１つの容量検出部ＮＤに含まれている。そして、１つの容量検出部ＮＤに含まれる２つのセンシング主線群３３Ｇは、各々において複数のセンシング主線３３ＭＬを並列に接続するセンシング副線３３ＳＬを共有している。
【００７８】
ここで、センシング主線群３３Ｇを構成する５つのセンシング主線３３ＭＬの各々は、第２電極方向Ｄ２において相互に隣り合う２つの容量検出部ＮＤに共通する線分である。そして、複数のセンシング副線３３ＳＬは、こうしたセンシング主線群３３Ｇを構成する複数のセンシング主線３３ＭＬを並列に接続する線分を含み、かつ、複数のセンシング主線３３ＭＬを並列に接続する線分を、１つの容量検出部ＮＤごとに複数ずつ含む。
【００７９】
すなわち、第２電極方向Ｄ２に沿って並ぶ２つの容量検出部ＮＤの各々は、複数のセンシング主線３３ＭＬの各々の一部分がセンシング副線３３ＳＬによって並列に接続された複数の並列回路ＣＰを備え、かつ、第２電極方向Ｄ２において相互に隣り合う複数の並列回路ＣＰは、センシング副線３３ＳＬの共有を通じて直列に接続されている。
【００８０】
例えば、容量検出部ＮＤのほぼ中央に位置するセンシング主線群３３Ｇにおいては、５つのセンシング主線３３ＭＬの各々の一部分が、センシング副線３３ＳＬによって並列に接続され、これらセンシング主線３３ＭＬとセンシング副線３３ＳＬとから１つの並列回路ＣＰが構成されている。そして、このセンシング主線群３３Ｇにおいては、１つの容量検出部ＮＤに２つの並列回路ＣＰを備え、さらに、２つの容量検出部ＮＤに跨る１つの並列回路ＣＰを備えている。これらの並列回路ＣＰの各々は、センシング副線３３ＳＬの共有を通じて直列に接続されている。
【００８１】
また、他方のセンシング主線群３３Ｇにおいては、４つのセンシング主線３３ＭＬの各々の一部分が、センシング副線３３ＳＬによって並列に接続され、これらセンシング主線３３ＭＬとセンシング副線３３ＳＬとから１つの並列回路ＣＰが構成されている。そして、他方のセンシング主線群３３Ｇにおいては、１つの容量検出部ＮＤに１つの並列回路ＣＰを備え、さらに、２つの容量検出部ＮＤに跨る１つの並列回路ＣＰを備えている。そして、これらの並列回路ＣＰの各々もまた、センシング副線３３ＳＬの共有を通じて直列に接続されている。
【００８２】
それゆえに、例えば、図５において白丸で示す特定の一部分において抵抗値が増大するとしても、図５において折れ線が示すように、特定の一部分を迂回する伝送路が特定の並列回路ＣＰにおいて構成される。そして、特定の並列回路ＣＰ以外の他の並列回路ＣＰにおいては、通常通りの抵抗値が得られる。結果として、センシング電極線が第２電極方向Ｄ２に沿って延びる直線形状を有した線分のみからなる構成と比べて、センシング電極３３ＳＰにおける抵抗値がセンシング電極線の一部分における抵抗値の増大によって増大することを抑えられる。
【００８３】
しかも、１つの容量検出部ＮＤに含まれる２つのセンシング主線群３３Ｇにおいては、一方のセンシング主線群３３Ｇに含まれる並列回路ＣＰと、他方のセンシング主線群３３Ｇに含まれる並列回路ＣＰとが、共通するセンシング副線３３ＳＬによって並列に接続されている。そのため、一方のセンシング主線群３３Ｇにおいて特定の並列回路ＣＰにおける抵抗値が増大するとしても、特定の並列回路ＣＰを迂回する伝送路が２つのセンシング主線群３３Ｇにおいて構成されて、特定の並列回路ＣＰ以外の他の並列回路ＣＰにおいては、通常通りの抵抗値が得られる。結果として、相互に隣り合うセンシング主線群３３Ｇが並列に接続される構成であれば、特定の並列回路ＣＰにおける抵抗値が増大するとしても、一方のセンシング主線群３３Ｇは、特定の並列回路ＣＰ以外において通常通りに機能する。
【００８４】
センシング主線群３３Ｇを構成するセンシング主線３３ＭＬの数は主線数であり、複数のセンシング主線３３ＭＬを並列に接続するセンシング副線３３ＳＬの数は副線数であり、主線数は副線数よりも多い。図５においては、主線数が５であり、副線数が３、あるいは、２である。このように、主線数と副線数とが相互に異なる構成であれば、これらの数が相互に等しい構成と比べて、センシング主線３３ＭＬとセンシング副線３３ＳＬとの交差部の数は、センシング主線群３３Ｇにおいて少ない。
【００８５】
ここで、ドライブ主線３１ＭＬとセンシング主線３３ＭＬとが立体的に交差する交差部における角は、通常、第１線方向ＤＬ１と第２線方向ＤＬ２とから形成される角度を有する。一方で、センシング主線３３ＭＬとセンシング副線３３ＳＬとがパターニングされるとき、センシング主線３３ＭＬとセンシング副線３３ＳＬとの交差部における角は、丸みを帯びて形成されることが少なくない。それゆえに、センシング主線３３ＭＬとセンシング副線３３ＳＬとの交差部が有する面積は、ドライブ主線３１ＭＬとセンシング主線３３ＭＬとが立体的に交差する交差部よりも大きくなりやすい。この点で、上述した構成であれば、センシング主線３３ＭＬとセンシング副線３３ＳＬとが、センシング電極面３３Ｓにおいて相互に交差する構成において、センシング主線３３ＭＬとセンシング副線３３ＳＬとの交差部の数の増大が抑えられているため、こうした交差部による開口率の低下も抑えられている。
【００８６】
［タッチパネル用電極の構成］
図６を参照してタッチパネル用電極の構成を説明する。図６においては、タッチパネル用電極を構成する複数の線分の配置を説明する便宜上、複数の線分の各々における線幅が誇張して示されている。また、ドライブ電極線が黒太線によって示され、センシング電極線が白抜き太線によって示されている。
【００８７】
図６が示すように、ドライブ電極３１ＤＰを構成する複数の線分と、センシング電極３３ＳＰを構成する複数の線分とは、四角形状の一例である正方形状を有した単位格子の繰返しである１つの格子パターンを構成している。
【００８８】
ドライブ主線３１ＭＬは、センシング主線３３ＭＬと相互に交差する位置であって、かつ、第１線方向ＤＬ１に沿ってセンシング副線３３ＳＬとは相互に重ならない位置に配置されている。ドライブ副線３１ＳＬは、センシング副線３３ＳＬと相互に交差する位置であって、かつ、第２線方向ＤＬ２に沿ってセンシング主線３３ＭＬとは相互に重ならない位置に配置されている。また、センシング主線３３ＭＬは、ドライブ主線３１ＭＬと相互に交差する位置であって、かつ、第２線方向ＤＬ２に沿ってドライブ副線３１ＳＬとは相互に重ならない位置に配置されている。センシング副線３３ＳＬは、ドライブ副線３１ＳＬと相互に交差する位置であって、かつ、第１線方向ＤＬ１に沿ってドライブ主線３１ＭＬとは相互に重ならない位置に配置されている。
【００８９】
第２線方向ＤＬ２において相互に隣り合う２つのドライブ主線群３１Ｇの間隙には、１つのセンシング副線３３ＳＬが配置されている。ドライブ電極面３１Ｓにおいて相互に隣り合う２つのドライブ主線群３１Ｇの間隙は、上述した格子パターンを構成するうえで、センシング副線３３ＳＬの数を特定している。そして、ドライブ主線群３１Ｇを構成するドライブ主線３１ＭＬの数と、センシング副線３３ＳＬの数とは、相補的な関係を有している。
【００９０】
例えば、ドライブ主線群３１Ｇを構成するドライブ主線３１ＭＬの数が多いほど、相互に隣り合うドライブ主線群３１Ｇの間隙の数は少なく、こうした間隙に配置されるセンシング副線３３ＳＬの数も少ない。反対に、ドライブ主線群３１Ｇを構成するドライブ主線３１ＭＬの数が少ないほど、相互に隣り合うドライブ主線群３１Ｇの間隙の数は多く、こうした間隙に配置されるセンシング副線３３ＳＬの数も多い。
【００９１】
第１線方向ＤＬ１において相互に隣り合う２つのセンシング主線群３３Ｇの間隙には、１つのドライブ副線３１ＳＬが配置されている。センシング電極面３３Ｓにおいて相互に隣り合う２つのセンシング主線群３３Ｇの間隙は、上述した格子パターンを構成するうえで、ドライブ副線３１ＳＬの数を特定している。そして、センシング主線群３３Ｇを構成するセンシング主線３３ＭＬの数と、ドライブ副線３１ＳＬの数とは、相補的な関係を有している。
【００９２】
例えば、センシング主線群３３Ｇを構成するセンシング主線３３ＭＬの数が多いほど、相互に隣り合うセンシング主線群３３Ｇの間隙の数は少なく、こうした間隙に配置されるドライブ副線３１ＳＬの数も少ない。反対に、センシング主線群３３Ｇを構成するセンシング主線３３ＭＬの数が少ないほど、相互に隣り合うセンシング主線群３３Ｇの間隙の数は多く、こうした間隙に配置されるドライブ副線３１ＳＬの数も多い。
【００９３】
上述したように、ドライブ主線群３１Ｇを構成するドライブ主線３１ＭＬの数と、センシング副線３３ＳＬの数とが、相補的な関係を有する構成であれば、これらドライブ主線３１ＭＬとセンシング副線３３ＳＬとの設計が容易である。また、センシング主線群３３Ｇを構成するセンシング主線３３ＭＬの数と、ドライブ副線３１ＳＬの数とが、相補的な関係を有する構成であれば、これらセンシング主線３３ＭＬとドライブ副線３１ＳＬとの設計が容易でもある。
【００９４】
ここで、複数のセンシング電極３３ＳＰを含む平面と対向する平面視において、ドライブ電極線、および、センシング電極線の各々は、これらにおける光の散乱を抑えるために、黒色を有していることが好ましい。ドライブ電極線やセンシング電極線の黒色化は、例えば、金属配線の酸化処理、あるいは、黒色を有する金属膜のめっき処理などによって実現される。
【００９５】
一方で、ドライブ電極線の空間的な位置と、センシング電極線の空間的な位置とが、平面視において相互に異なる以上、上述した黒色化が施された線分であっても、色相、明度、および、彩度の少なくとも１つは、ドライブ電極線とセンシング電極線との間において相互に異なる。この点で、上述したタッチセンサ用電極では、複数のセンシング電極３３ＳＰを含む平面と対向する平面視において、相互に隣り合う２つのドライブ主線群３１Ｇの間隙には、１つのセンシング副線３３ＳＬが配置されている。また、相互に隣り合う２つのセンシング主線群３３Ｇの間隙には、１つのドライブ副線３１ＳＬが配置されている。それゆえに、ドライブ電極３１ＤＰの有する色と、センシング電極３３ＳＰの有する色とが個別に認識されにくくなる。そして、ドライブ電極３１ＤＰの有する色とセンシング電極３３ＳＰの有する色とが相互に異なったとしても、ドライブ電極３１ＤＰの色とセンシング電極３３ＳＰの色との違いが目立ちにくくなる。結果として、ドライブ電極３１ＤＰおよびセンシング電極３３ＳＰとの境界が視認されることを抑え、ドライブ電極３１ＤＰとセンシング電極３３ＳＰとが視認されることを抑える。
【００９６】
上述したタッチセンサ用電極は、画素１５Ｐにおける第１画素幅ＷＰ１、第２画素幅ＷＰ２、および、第３画素幅ＷＰ３に応じて適宜設計され、こうした設計手順の一例を以下に示す。
【００９７】
まず、ブラックマトリックスと格子パターンとの干渉によるモアレが抑えられるように、上述した格子パターンを構成する線分の配線幅、格子パターンを構成する線分の間隔、上述した角度θ１、および、上述した角度θ２が設定される。これによって、単位格子の繰返しである１つの格子パターンが設定される。
【００９８】
次いで、ドライブ電極３１ＤＰとセンシング電極３３ＳＰとの間の静電容量の初期値が、周辺回路から求められる範囲内であるように、格子パターンを構成する線分が、ドライブ電極３１ＤＰを構成する線分と、センシング電極３３ＳＰを構成する線分とに分割される。この際に、ドライブ電極３１ＤＰとセンシング電極３３ＳＰとの間において、主線数に対する副線数の比がほぼ等しくなるように、ドライブ主線３１ＭＬ、ドライブ副線３１ＳＬ、センシング主線３３ＭＬ、および、センシング副線３３ＳＬが設定される。
【００９９】
以上、上記第１実施形態によれば以下に列記する効果が得られる。
（１）複数のドライブ電極線から構成されるドライブ電極３１ＤＰにおける抵抗値が、ドライブ電極線の一部分における抵抗値の増大によって増大することを抑えられる。
【０１００】
（２）複数のセンシング電極線から構成されるセンシング電極３３ＳＰにおける抵抗値が、センシング電極線の一部分における抵抗値の増大によって増大することを抑えられる。
【０１０１】
（３）ドライブ電極３１ＤＰを構成するドライブ副線３１ＳＬと、センシング電極３３ＳＰを構成するセンシング主線群３３Ｇとが、第１線方向ＤＬ１に沿って交互に繰り返される。そのため、ドライブ電極３１ＤＰの有する色とセンシング電極３３ＳＰの有する色とが相互に異なっているとしても、これらの色の違いからドライブ電極３１ＤＰとセンシング電極３３ＳＰとが各別の構造体として視認されることは抑えられる。
【０１０２】
（４）ドライブ電極３１ＤＰを構成するドライブ主線群３１Ｇと、センシング電極３３ＳＰを構成するセンシング副線３３ＳＬとが、第２線方向ＤＬ２に沿って交互に繰り返される。そのため、ドライブ電極３１ＤＰの有する色とセンシング電極３３ＳＰの有する色とが相互に異なっているとしても、これらの色の違いからドライブ電極３１ＤＰとセンシング電極３３ＳＰとが各別の構造体として視認されることは抑えられる。
（５）ドライブ主線３１ＭＬとドライブ副線３１ＳＬとの交差部の数の増大が抑えられているため、こうした交差部による開口率の低下も抑えられる。
（６）センシング主線３３ＭＬとセンシング副線３３ＳＬとの交差部の数の増大が抑えられているため、こうした交差部による開口率の低下も抑えられる。
【０１０３】
［第２実施形態］
図７から図１０を参照して、第２実施形態におけるタッチセンサ用電極、タッチパネル、および、表示装置を説明する。以下では、表示装置の構成、タッチパネルの電気的構成、ドライブ電極の構成、および、センシング電極の構成を説明する。なお、第２実施形態においては、ドライブ電極線の構成、および、センシング電極線の構成が、第１実施形態とは主に異なる。以下では、これらの構成の差異を主に説明し、第１実施形態における構成と同様の構成には同じ符号を付して、その説明を割愛する。
【０１０４】
［ドライブ電極３１ＤＰ］
図７が示すように、複数のドライブ主線３１ＭＬは、第１電極方向Ｄ１において相互に隣り合う２つの容量検出部ＮＤに共通した複数のドライブ主線３１ＭＬを含み、これら共通した複数のドライブ主線３１ＭＬによってドライブ主線群３１Ｇが構成されている。図７において、１つのドライブ主線群３１Ｇは、７つのドライブ主線３１ＭＬから構成され、第１電極方向Ｄ１において相互に隣り合う２つの容量検出部ＮＤは、１つのドライブ主線群３１Ｇを有している。
【０１０５】
ドライブ主線群３１Ｇを構成する７つのドライブ主線３１ＭＬは、第２線方向ＤＬ２に沿って主線間隔ＷＭを空けて、第２線方向ＤＬ２に沿って並んでいる。ドライブ主線群３１Ｇを構成する７つのドライブ主線３１ＭＬは、相互に隣り合う容量検出部ＮＤにおいて導通する複数の線分と、容量検出部ＮＤ内において途切れる線分である複数のダミー主線３１ＭＬＤとから構成されている。
【０１０６】
複数のドライブ副線３１ＳＬは、第１実施形態と同じく、第２線方向ＤＬ２に沿って延びる直線形状を有し、かつ、相互に隣り合うドライブ電極３１ＤＰの間において途切れる線分である。複数のドライブ副線３１ＳＬは、第１線方向ＤＬ１に沿って副線間隔ＷＳを空けて、第１線方向ＤＬ１に沿って並んでいる。ドライブ副線３１ＳＬの形成されるピッチである副線間隔ＷＳは、主線間隔ＷＭよりも十分に大きく設定され、図７においては、主線間隔ＷＭの８倍である。
【０１０７】
図８が示すように、ドライブ主線群３１Ｇを構成する７つのドライブ主線３１ＭＬは、４つのダミー主線３１ＭＬＤを備えている。４つのダミー主線３１ＭＬＤの各々は、ドライブ副線３１ＳＬとの交差する部位において途切れている。ドライブ主線群３１Ｇを構成する複数のドライブ主線３１ＭＬのなかでダミー主線３１ＭＬＤ以外の線分は、ドライブ副線３１ＳＬによって並列に接続されている。
【０１０８】
複数のドライブ主線３１ＭＬを並列に接続するドライブ副線３１ＳＬは、１つの容量検出部ＮＤごとに複数ずつ含まれている。図８においては、ドライブ主線群３１Ｇにおいて、３つのドライブ主線３１ＭＬを並列に接続する３つのドライブ副線３１ＳＬが１つの容量検出部ＮＤに含まれている。そして、３つのドライブ主線３１ＭＬの各々の一部分が、ドライブ副線３１ＳＬによって並列に接続され、これらドライブ主線３１ＭＬとドライブ副線３１ＳＬとから１つの並列回路ＣＰが構成されている。
【０１０９】
なお、ドライブ主線群３１Ｇにおいては、１つの容量検出部ＮＤに１つの並列回路ＣＰを備え、さらに、２つの容量検出部ＮＤに跨る１つの並列回路ＣＰを備えている。これらの並列回路ＣＰの各々は、第１実施形態と同じく、ドライブ副線３１ＳＬの共有を通じて直列に接続されている。また、１つの容量検出部ＮＤに含まれるドライブ主線群３１Ｇは、ドライブ主線群３１Ｇ以外のドライブ主線３１ＭＬと、ドライブ副線３１ＳＬによって並列に接続されている。
【０１１０】
ここで、ドライブ電極３１ＤＰとセンシング電極３３ＳＰとの間の静電容量は、複数の並列回路ＣＰから構成される電極部分の占める面積によって定められる。ドライブ主線群３１Ｇに含まれるダミー主線３１ＭＬＤは、こうした静電容量をダミー主線３１ＭＬＤの数によって定める機能を備え、静電容量の初期値が所望の範囲内であるように、その数が設計されている。
【０１１１】
相互に隣り合う２つのドライブ主線群３１Ｇの隙間には、第１線方向ＤＬ１に沿って延びる短い線分であるダミー主線３１ＭＬＤがさらに配置されている。上述したドライブ主線群３１Ｇに含まれるダミー主線３１ＭＬＤ、および、ドライブ主線群３１Ｇの間隙に位置するダミー主線３１ＭＬＤの各々は、並列回路ＣＰに対して絶縁された線分である。
【０１１２】
相互に隣り合う２つの容量検出部ＮＤの境界近傍であって、ドライブ主線群３１Ｇの位置とは異なる部位には、これら２つの容量検出部ＮＤに跨るダミー副線３１ＳＬＤが配置されている。ダミー副線３１ＳＬＤは、ダミー主線３１ＭＬＤと同じく、並列回路ＣＰの占有する領域とは異なる位置に配設された線分であり、ドライブ副線３１ＳＬとダミー副線３１ＳＬＤとの間隔ＷＤは、副線間隔ＷＳとは異なる。
【０１１３】
［センシング電極３３ＳＰ］
図９が示すように、複数のセンシング主線３３ＭＬは、第２電極方向Ｄ２において相互に隣り合う２つの容量検出部ＮＤに共通した複数のセンシング主線３３ＭＬを含み、これら共通した複数のセンシング主線３３ＭＬによってセンシング主線群３３Ｇが構成されている。図９において、１つのセンシング主線群３３Ｇは、７つのセンシング主線３３ＭＬから構成され、第１電極方向Ｄ１において相互に隣り合う２つの容量検出部ＮＤは、１つのセンシング主線群３３Ｇを有している。
【０１１４】
センシング主線群３３Ｇを構成する７つのセンシング主線３３ＭＬは、第１線方向ＤＬ１に沿って主線間隔ＷＭを空けて、第１線方向ＤＬ１に沿って並んでいる。センシング主線群３３Ｇを構成する７つのセンシング主線３３ＭＬは、相互に隣り合う容量検出部ＮＤにおいて導通する複数の線分と、容量検出部ＮＤにおいて途切れる線分である複数のダミー主線３３ＭＬＤとから構成されている。
【０１１５】
複数のセンシング副線３３ＳＬは、第１実施形態と同じく、第１線方向ＤＬ１に沿って延びる直線形状を有し、かつ、相互に隣り合うセンシング電極３３ＳＰの間において途切れる線分である。複数のセンシング副線３３ＳＬは、第２線方向ＤＬ２に沿って副線間隔ＷＳを空けて、第２線方向ＤＬ２に沿って並んでいる。センシング副線３３ＳＬの形成されるピッチである副線間隔ＷＳは、主線間隔ＷＭよりも十分に大きく設定され、図９においては、主線間隔ＷＭの８倍である。
【０１１６】
図１０が示すように、センシング主線群３３Ｇを構成する７つのセンシング主線３３ＭＬは、４つのダミー主線３３ＭＬＤを備えている。４つのダミー主線３３ＭＬＤの各々は、センシング副線３３ＳＬとの交差する部位において途切れている。センシング主線群３３Ｇを構成する複数のセンシング主線３３ＭＬのなかでダミー主線３３ＭＬＤ以外の線分は、センシング副線３３ＳＬによって並列に接続されている。
【０１１７】
複数のセンシング主線３３ＭＬを並列に接続するセンシング副線３３ＳＬは、１つの容量検出部ＮＤごとに複数ずつ含まれている。図１０においては、センシング主線群３３Ｇにおいて、３つのセンシング主線３３ＭＬを並列に接続する３つのセンシング副線３３ＳＬが１つの容量検出部ＮＤに含まれている。そして、３つのセンシング主線３３ＭＬの各々の一部分が、センシング副線３３ＳＬによって並列に接続され、これらセンシング主線３３ＭＬとセンシング副線３３ＳＬとから１つの並列回路ＣＰが構成されている。
【０１１８】
なお、センシング主線群３３Ｇにおいては、１つの容量検出部ＮＤに１つの並列回路ＣＰを備え、さらに、２つの容量検出部ＮＤに跨る１つの並列回路ＣＰを備えている。これらの並列回路ＣＰの各々は、第１実施形態と同じく、ドライブ副線３１ＳＬの共有を通じて直列に接続されている。また、１つの容量検出部ＮＤに含まれるセンシング主線群３３Ｇは、センシング主線群３３Ｇ以外のセンシング主線３３ＭＬとセンシング副線３３ＳＬによって並列に接続されている。センシング主線群３３Ｇに含まれるダミー主線３３ＭＬＤは、ドライブ主線群３１Ｇに含まれるダミー主線３１ＭＬＤと同じく、ダミー主線３３ＭＬＤの数によって静電容量を定める機能を備え、静電容量の初期値が所望の範囲内であるように、その数が設計されている。
【０１１９】
相互に隣り合う２つのセンシング主線群３３Ｇの隙間には、第２線方向ＤＬ２に沿って延びる短い線分であるダミー主線３３ＭＬＤが配置されている。上述したドライブ主線群３１Ｇに含まれるダミー主線３３ＭＬＤ、および、センシング主線群３３Ｇの間隙に位置するダミー主線３３ＭＬＤの各々は、並列回路ＣＰに対して絶縁された線分である。
【０１２０】
相互に隣り合う２つの容量検出部ＮＤの境界近傍であって、センシング主線群３３Ｇの位置とは異なる部位には、１つのダミー副線３３ＳＬＤが配置されている。ダミー副線３３ＳＬＤは、ダミー主線３３ＭＬＤと同じく、並列回路ＣＰの占有する領域とは異なる位置に配設された線分であり、センシング副線３３ＳＬとダミー副線３３ＳＬＤとの間隔ＷＤは、副線間隔ＷＳとは異なる。
【０１２１】
上述したように、ドライブ主線群３１Ｇの間隙に短いダミー主線３１ＭＬＤが位置する構成であれば、ドライブ主線３１ＭＬと同様の視認性を与える構造体が、一定の周期によってさらに繰り返され難くなる。センシング主線群３３Ｇの間隙に短いダミー主線３３ＭＬＤが位置する構成においても、同様である。
【０１２２】
また、ドライブ副線３１ＳＬの形成される間隔である副線間隔ＷＳとは異なる間隔ＷＤでダミー副線３１ＳＬＤが配置される構成においてもまた、ドライブ副線３１ＳＬと同様の視認性を与える構造体が、一定の周期によって繰り返され難くなる。副線間隔ＷＳとは異なる間隔ＷＤでダミー副線３３ＳＬＤが配置される構成においても、同様である。
【０１２３】
ここで、ドライブ電極３１ＤＰとセンシング電極３３ＳＰとの間には、構造物である透明誘電体基板３３が挟まれている。そのため、複数のセンシング電極３３ＳＰを含む平面と対向する平面視において、ドライブ電極線の色味とセンシング電極線の色味とは少なからず異なる。この点で、ドライブ主線３１ＭＬの位置する周期やドライブ副線３１ＳＬの位置する周期とは異なる周期でダミー主線３１ＭＬＤやダミー副線３１ＳＬＤが位置する構成であれば、ドライブ電極線の色味とセンシング電極線の色味との差に基づく視認性の差異が一定の周期によって繰り返されなくなる。それゆえに、こうした視認性の差異に基づいてドライブ電極３１ＤＰやセンシング電極３３ＳＰが別々の構造体として視認されるパターン見えが抑えられる。また、センシング主線３３ＭＬの位置する周期やセンシング副線３３ＳＬの位置する周期が一定でない構成においても、同様である。
【０１２４】
以上、上記第２実施形態によれば以下に列挙する効果が得られる。
（１）並列回路ＣＰの形成される領域にダミー主線３１ＭＬＤ，３３ＭＬＤが含まれるため、こうしたダミー主線３１ＭＬＤ，３３ＭＬＤが並列回路ＣＰとは異なる位置に別途形成される構成と比べて、並列回路ＣＰの占有する面積が広げられ、かつ、相互に隣り合う並列回路ＣＰの間隙を縮小できる。それゆえに、相互に隣り合うドライブ電極３１ＤＰにおいては、一方のドライブ電極３１ＤＰにおける並列回路ＣＰと、他方のドライブ電極３１ＤＰにおける並列回路ＣＰとの間の距離を短くすることができる。ひいては、静電容量を検出することの可能な部位をドライブ電極面３１Ｓにおいて緻密にすることができる。
【０１２５】
（２）ダミー主線３１ＭＬＤは、ドライブ主線３１ＭＬとドライブ副線３１ＳＬとの交差する部位において途切れた線分である。ダミー主線３３ＭＬＤもまた、センシング主線３３ＭＬとセンシング副線３３ＳＬとの交差する部位において途切れた線分である。それゆえに、ダミー主線３１ＭＬＤとドライブ副線３１ＳＬとが交差する構成と比べて、また、ダミー主線３３ＭＬＤとセンシング副線３３ＳＬとが交差する構成と比べて、これらの線分の交差部が増えることを抑えられる。それゆえに、こうした交差部の数が増えることによる開口率の低下が抑えられる。
【０１２６】
（３）ドライブ電極線の色味とセンシング電極線の色味との差に基づく視認性の差異が一定の周期によって繰り返されることが抑えられる。それゆえに、こうした視認性の差異に基づくパターン見えが抑えられる。
【０１２７】
（４）ダミー主線３１ＭＬＤ，３３ＭＬＤが不規則に配置された構成では、センシング電極面３３Ｓにおいてダミー主線３１ＭＬＤと対向する部分に間隙を設ける必要がある。また、ドライブ電極面３１Ｓにおいてダミー主線３３ＭＬＤと対向する部分に間隙を設ける必要があるため、ドライブ電極３１ＤＰやセンシング電極３３ＳＰの設計が煩雑である。また、こうした電極が露光によって形成される場合には、露光に用いられるデータ量が膨大となる。この点で、上述した構成であれば、ダミー主線３１ＭＬＤ，３３ＭＬＤが容量検出部ＮＤごとの周期性を有するため、ドライブ電極３１ＤＰやセンシング電極３３ＳＰの設計が容易であって、露光に用いられるデータ容量も抑えられる。
【０１２８】
（５）ダミー副線３１ＳＬＤ，３３ＳＬＤが不規則に配置された構成においても同様であるから、この点においても、ドライブ電極３１ＤＰやセンシング電極３３ＳＰの設計が容易であって、露光に用いられるデータ容量も抑えられる。
【０１２９】
なお、上記実施形態は、以下のように適宜変更して実施することもできる。
［副線］
・相互に隣り合うドライブ副線３１ＳＬの間隔である副線間隔ＷＳは、相互に隣り合うドライブ主線３１ＭＬの間隔である主線間隔ＷＭと同じであってもよい。例えば、主線間隔ＷＭを有する２つのドライブ副線３１ＳＬが１つの容量検出部ＮＤに位置する構成であってもよい。
・相互に隣り合うセンシング副線３３ＳＬの間隔である副線間隔ＷＳは、相互に隣り合うセンシング主線３３ＭＬの間隔である主線間隔ＷＭと同じであってもよい。例えば、主線間隔ＷＭを有する２つのセンシング副線３３ＳＬが１つの容量検出部ＮＤに位置する構成であってもよい。
【０１３０】
なお、ドライブ主線３１ＭＬとドライブ副線３１ＳＬとの交差部の数の増大を抑えて、交差部による開口率の低下を抑えるうえでは、主線間隔ＷＭと副線間隔ＷＳとが同じである構成においても、ドライブ主線３１ＭＬの数とドライブ副線３１ＳＬの数とは相互に異なることが好ましい。
・ドライブ副線３１ＳＬとセンシング副線３３ＳＬとのいずれか一方は割愛されてもよい。
【０１３１】
［主線群］
・ドライブ主線群３１Ｇを構成するドライブ主線３１ＭＬの数と、センシング主線群３３Ｇを構成するセンシング主線３３ＭＬの数とは、格子パターンを形成することが可能であれば、任意に変更することができる。
【０１３２】
・相互に隣り合う２つのドライブ主線群３１Ｇの間隔は、相互に隣り合う２つのドライブ主線３１ＭＬの間隔である主線間隔ＷＭと同じであってもよい。この際に、ドライブ主線群３１Ｇを構成する複数のドライブ主線３１ＭＬの間隔のなかに、主線間隔ＷＭの２倍以上の間隔を有する構成であれば、こうしたドライブ主線３１ＭＬの間隔と対向する位置に、センシング副線３３ＳＬを配置することが可能である。
【０１３３】
・相互に隣り合う２つのセンシング主線群３３Ｇの間隔は、相互に隣り合う２つのセンシング主線３３ＭＬの間隔である主線間隔ＷＭと同じであってもよい。この際に、センシング主線群３３Ｇを構成する複数のセンシング主線３３ＭＬの間隔のなかに、主線間隔ＷＭの２倍以上の間隔を有する構成であれば、こうしたセンシング主線３３ＭＬの間隔と対向する位置に、ドライブ副線３１ＳＬを配置することが可能である。
【０１３４】
［ダミー線分］
・ダミー主線３１ＭＬＤ，３３ＭＬＤは、並列回路ＣＰの占有する領域以外に配置されてもよい。こうした構成であれば、並列回路ＣＰの占有する領域の縮小化に伴い、並列回路ＣＰを構成する線分の長さの短縮が可能であるから、ドライブ電極３１ＤＰやセンシング電極３３ＳＰにおける低抵抗化が図られやすくなる。
【０１３５】
［タッチパネル］
・図１１が示すように、タッチパネル２０を構成するタッチセンサ用電極２１において、透明基板３１および透明接着層３２が割愛されてもよい。こうした構成では、透明誘電体基板３３の面の中で、表示パネル１０と対向する１つの面がドライブ電極面３１Ｓとして設定され、ドライブ電極面３１Ｓには、ドライブ電極３１ＤＰが位置すればよい。そして、透明誘電体基板３３における、ドライブ電極面３１Ｓと対向する面に、センシング電極３３ＳＰが位置すればよい。
なお、こうした構成において、ドライブ電極３１ＤＰは、例えば、ドライブ電極面３１Ｓに形成される１つの薄膜のパターニングによって形成される。
【０１３６】
・図１２が示すように、タッチパネル２０において、表示パネル１０に近い構成要素から順番に、ドライブ電極３１ＤＰ、透明基板３１、透明接着層３２、透明誘電体基板３３、センシング電極３３ＳＰ、透明接着層２３、カバー層２２が位置してもよい。
【０１３７】
なお、こうした構成において、例えば、ドライブ電極３１ＤＰは、透明基板３１の１つの面であるドライブ電極面３１Ｓに形成され、センシング電極３３ＳＰは、透明誘電体基板３３の１つの面であるセンシング電極面３３Ｓに形成される。そして、透明基板３１においてドライブ電極面３１Ｓと対向する面と、透明誘電体基板３３においてセンシング電極面３３Ｓと対応する面とが、透明接着層３２によって接着される。
【０１３８】
・表示パネル１０とタッチパネル２０とは、個別に形成されていなくともよく、タッチパネル２０は、表示パネル１０と一体に形成されてもよい。こうした構成では、例えば、タッチセンサ用電極２１のうち、複数のドライブ電極３１ＤＰがＴＦＴ層１３に位置する一方、複数のセンシング電極３３ＳＰがカラーフィルタ基板１６と上側偏光板１７との間に位置するインセル型の構成とすることができる。あるいは、タッチセンサ用電極２１がカラーフィルタ基板１６と上側偏光板１７との間に位置するオンセル型の構成でもよい。
【符号の説明】
【０１３９】
ＣＰ…並列回路、Ｄ１…第１電極方向、Ｄ２…第２電極方向、ＮＤ…容量検出部、ＤＬ１…第１線方向、ＤＬ２…第２線方向、１０…表示パネル、１１…下側偏光板、１２…薄膜トランジスタ基板、１３…ＴＦＴ層、１４…液晶層、１５…カラーフィルタ層、１５ａ…ブラックマトリクス、１５Ｐ…画素、１６…カラーフィルタ基板、１７…上側偏光板、２０…タッチパネル、２１…タッチセンサ用電極、２２…カバー層、２３…透明接着層、３１…透明基板、３１ＤＰ…ドライブ電極、３１Ｇ…ドライブ主線群、３１ＭＬ…ドライブ主線、３１ＭＬＤ，３３ＭＬＤ…ダミー主線、３１ＳＬ…ドライブ副線、３１ＳＬＤ，３３ＳＬＤ…ダミー副線、３３…透明誘電体基板、３３Ｐ…センシング電極、３３ＳＬ…センシング副線、３４…選択回路、３５…検出回路、３６…制御部。
【図１】
0006383914.tif 000002
【図２】
0006383914.tif 000003
【図３】
0006383914.tif 000004
【図４】
0006383914.tif 000005
【図５】
0006383914.tif 000006
【図６】
0006383914.tif 000007
【図７】
0006383914.tif 000008
【図８】
0006383914.tif 000009
【図９】
0006383914.tif 000010
【図１０】
0006383914.tif 000011
【図１１】
0006383914.tif 000012
【図１２】
0006383914.tif 000013